(57)【要約】【課題】表示カード自体が発光する自己顕示能力の強い携帯型の発光表示板を提供する。【解決手段】発光機能を有する表示面を備えた、携帯型の発光表示板について、印刷パターンの凹凸を有する印刷基材１２を用いて透明プラスチックを型成型することにより表示板を形成し、その表示板から印刷基材を剥離して、印刷パターンの凹凸が転写された凸凹から成る光反射要素１６を有する表示面となる表示板本体１１を具備し、上記表示板本体内に光線を照射して凸凹から成る光反射要素を発光させる光線照射部１７を表示板本体の端面に配置し、上記光線照射部と光線照射部の作動を制御する制御部に電力を供給する電源電池２９と、上記表示板本体を使用部位に適用する適用手段を具備し、表示板本体又は適用手段に当該電源電池を配置する。【選択図】          図９
2008310165.tif 000002
【特許請求の範囲】
【請求項１】
発光機能を有する表示面を備えた、携帯型の発光表示板について、印刷パターンの凹凸を有する印刷基材を用いて透明プラスチックを型成型することにより表示板を形成し、その表示板から印刷基材を剥離して、印刷パターンの凹凸が転写された凸凹から成る光反射要素を有する表示面となる表示板本体を具備し、上記表示板本体内に光線を照射して凸凹から成る光反射要素を発光させる光線照射部を表示板本体の端面に配置し、上記光線照射部と光線照射部の作動を制御する制御部に電力を供給する電源電池を具備するとともに、上記表示板本体を使用部位に適用する適用手段を具備し、表示板本体又は適用手段に当該電源電池を配置した構成を有する携帯型の発光表示板。
【請求項２】
光線照射部は、赤色、緑色、青色の光を発する３色ＬＥＤを１組の光源として少なくとも１組以上有しており、上記３色ＬＥＤの発光と光度を制御部にて制御することを特徴とする請求項１記載の携帯型の発光表示板。
【請求項３】
制御部はマイクロコンピューターから成り、プログラムにしたがって３色ＬＥＤの発光と光度を制御することによりフルカラーの演色をし、電圧と電流を監視し、内蔵するタイマーにより設定される任意の時間に、報知手段として光又は音を発するように構成されている請求項１記載の携帯型の発光表示板。
【請求項４】
マイクロコンピューターは入力部を有し、上記入力部にセンサーを接続することにより、３色ＬＥＤの発光に合わせた演色、音の発生、発光表示板の着用者の感知、外部の明るさに応じた表示面における輝度の調整を行なう請求項３記載の携帯型の発光表示板。
【請求項５】
表示板本体は、衣類の胸のポケットに着用できる大きさ、形状を有しており、当該表示板本体に、表示板本体を使用部位に適用する適用手段としてクリップないしフック若しくはストラップを具備している請求項１記載の携帯型の発光表示板。
【請求項６】
表示板本体を使用部位に適用する適用手段として、表示板本体との間で衣類の胸のポケットの布片を挟むクリップを具備しており、クリップの内部に、作動を制御する制御部と電源電池のいずれか一方又は両方を組み込んだことを特徴とする請求項１記載の携帯型の発光表示板。
【発明の詳細な説明】
【技術分野】
【０００１】
本発明は、発光機能を有する表示面を備えた携帯型の発光表示板に関するものである。
【背景技術】
【０００２】
例えば、建造物や工場に立ち入る者に名札が着用することは普通に行なわれているが、そのような場合に使用する名札、ネームカードの類では、顔写真と氏名、所属その他の必要事項が表示されている。また、特定領域への出入りを管理する機能を備えているカードの場合には、電子的な識別機能を併せ持っているものも少なくない。これに対して、特開２００６−２１２８３１号では、本人確認を目的とし、セキュリティを要する区域で常時携帯し名札として用いるＩＤカードについて、カードの一部又は全部に、特定波長の光照射によって色が変化する物質を含む発明を開示している。しかし同号の発明は、単なる１枚のカードに上記の物質を固定したものに過ぎず、それ自体に人の目を惹きつける工夫は無い。
【０００３】
また、特開２００４−３１７８２０号では、暗い場所でもネームタグの表示事項を視認できるようにするもので、上ケースと下ケースから成るケースの内壁に球面部を形成し、球面部の基部に表示カードの表面を照明する光源を実装した発明を開示している。上記のネームタグの場合、ＬＥＤチップ、豆ランプ、ＥＬ、半導体レーザー素子などを光源としており、マイコンを搭載して点灯、点滅を変化させるものとして、前記のＩＤカードよりも装飾性を高められると説明されている。しかし上記発明は、表示カードの表面を光源によって照明するものであり、その効果としては、暗い場所でもネームカードの表示事項を視認できるというに止まる。
【０００４】
【特許文献１】特開２００６−２１２８３１号
【特許文献２】特開２００４−３１７８２０号
【発明の開示】
【発明が解決しようとする課題】
【０００５】
本発明は前記の点に着目してなされたものであり、その課題は、表示カード自体が発光する自己顕示能力の強い携帯型の発光表示板を提供することである。また、本発明は、名札、ネームカード類として使用できるほか、商品の注文、受注などに用いる札、販売札、値札類による生産、物流の管理に使用することができ、さらにはセミナーやコンサート各種イベント、或いは様々な集会における入退出チェックによるセキュリティ管理、オーダー、呼び出し、アンケートなどにおける統括、等に使用することができる携帯型の発光表示板を提供することを課題とする。
【課題を解決するための手段】
【０００６】
前記の課題を解決するため、本発明は、発光機能を有する表示面を備えた、携帯型の発光表示板について、印刷パターンの凹凸を有する印刷基材を用いて透明プラスチックを型成型することにより表示板を形成し、その表示板から印刷基材を剥離して、印刷パターンの凹凸が転写された凸凹から成る光反射要素を有する表示面となる表示板本体を具備し、上記表示板本体内に光線を照射して凸凹から成る光反射要素を発光させる光線照射部を表示板本体の端面に配置し、上記光線照射部と光線照射部の作動を制御する制御部に電力を供給する電源電池を具備するとともに、上記表示板本体を使用部位に適用する適用手段を具備し、表示板本体又は適用手段に当該電源電池を配置した構成を有するものとするという手段を講じたものである。
【０００７】
本発明に係る発光表示板は、例えば名札として使用することを目的とすることから携帯型のものであることが要求され、また、表示板という性格上おおむね板状の形状を備えているものである。携帯型ということから、身に付けて持つことができるものを対象とすることは明らかであるが、そのほか携帯型には持ち運ぶことができるほどの大きさのものも含むと考えられるので、持ち運べるものは身に付けると付けないとに拘らず本発明の発光表示板に含むものとする。
【０００８】
本発明において発光とは、対象の発光表示板に、強い自己顕示能力を発揮させるための手段である。従って本発明に係る発光表示板は特有の発光機能を有しており、その機能のために、印刷パターンの凹凸を有する印刷基材を用いて透明プラスチックを型成型することにより表示板を形成し、その表示板から印刷基材を剥離して、印刷パターンの凹凸が転写された凸凹から成る光反射要素を有する表示面となる表示板本体を具備することを必要とする。
【０００９】
より具体的に述べれば、印刷基材の表面に印刷によってインクの凹凸から成る印刷パターンを形成し、上記印刷パターンを有する印刷基材を金型に配置し、透明プラスチックによる型成型を経て表示板を形成し、上記表示板から印刷基材を印刷パターンとともに剥離し、インクの凹凸の転写された凸凹から成る光反射要素を有する表示板本体を使用する。この表示板本体には、本出願人が先に開示した特願２００６−２３５４１８号の発明によって得られる、ＰＭバンと通称するものを使用することができ、特に印刷によって、装飾要素となる印刷基材を作成できるので、加飾表現上の制約がほとんど無いか或いは少なくなり、あらゆる種類の自由な表現が可能になり、訴求力の強い表示板本体を形成することができる。
【００１０】
上記表示板本体内に光線を照射して凸凹から成る光反射要素を発光させる光線照射部を表示板の端面に配置することにより表示板本体が形成されている。この光線照射部は、表示板本体を導光路とする光を反射ロスの少ない状態で導入するために、表示板本体の端部などにおいて、光線を表示板本体に照射する部分であり、照射する光線として光源を直かに配列する構成のほか、離れた光源から光を導く光ファイバーを配列する構成などを採用することができる。
【００１１】
このように、表示板本体はその透明プラスチック内部を、照明光線を導く導光路とし、かつ表示板本体の一面に凸凹から成る光反射要素を、印刷によって自由に形成することができるというものであり、その光反射要素が導光路に導かれた照明光線によって自ら発光し、強い自己顕示能力を発揮することとなるので、本発明において非常に重要な役割を占めている。本発明においては使用するプラスチックの透明性も重要であり、アクリル樹脂であるとか、コポリエステル樹脂など高い透明度を有する樹脂を使用する。
【００１２】
光線照射部に用いる光源としては、従来の技術の中にも記載されているように様々なものがあるが、総合的に見てＬＥＤ（発光ダイオード）が最良である。それも赤色、緑色、青色の光を発する３色ＬＥＤを１組の光源として少なくとも１組以上有しており、上記３色ＬＥＤの発光と光度等を制御部にて制御できるものが光線照射部として最も望ましい（請求項２記載の発明）。これによっていわゆるＲＧＢディスプレイが可能になり、あらゆる色調を作り出すことができる。制御部は光源の点滅、光度（輝度）、その他の変化を制御するもので、マイクロコンピューターから成り、プログラムにしたがって３色ＬＥＤの発光と光度を制御することによりフルカラーの演色を実施することができる。
【００１３】
さらに、マイクロコンピューターは電圧と電流を監視し、内蔵するタイマーにより設定される任意の時間に、報知手段として光又は音を発するように構成することができる（請求項３記載の発明）。マイクロコンピューターは入力部を有し、上記入力部にセンサーを接続することにより、３色ＬＥＤの発光に合わせた演色、音の発生、発光表示板の着用者の感知、外部の明るさに応じた表示面における輝度調整を行なうものとすることができる（請求項４記載の発明）。
【００１４】
さらに本発明では、上記光線照射部と光線照射部の作動を制御する制御部に電力を供給する電源電池を具備するとともに、上記表示板本体を使用部位に適用する適用手段を具備し、表示板本体又は適用手段に当該電源電池を配置する。光源と制御部のための電源電池を一体に具備すること、ネームカードの着用ないし各種の札類の配置のための適用手段を一体に具備することは、携帯型の発光表示板にとって不可欠の条件である。
【００１５】
このような構成を有する表示板本体は、衣類の胸のポケットに着用できる大きさ、形状を有していることが望ましく、当該表示板本体に、表示板本体を使用部位に適用する適用手段としてクリップないしフック若しくはストラップを具備するという形態を取ることができる（請求項５記載の発明）。表示板本体を使用部位に適用する適用手段として、表示板本体との間で衣類の胸のポケットの布片を挟むクリップを具備している場合、クリップの内部に、作動を制御する制御部と電源電池のいずれか一方又は両方を組み込むことができる（請求項６記載の発明）。例えば表示板本体は、内部が中空で、正面に額縁状の開口を設けた、薄いケース状のものの内部に交換可能に又は交換できないように納められる。なお、このような発光表示板の適用手段は携帯のためだけではなく、あらゆるものへの取り付け手段を含む。
【発明の効果】
【００１６】
本発明は以上のように構成されかつ作用するものであるから、凸凹から成る光反射要素を具備し表示カード自体が発光する自己顕示能力の強い携帯型の発光表示板を提供することができるという効果を奏する。また本発明によれば、名札、ネームカード類として使用できるほか、商品の注文、受注などに用いる札、販売札、値札類による生産、物流の管理に使用することができ、さらにはセミナーやコンサート各種イベント或いは様々な集会における入退出チェックによるセキュリティ管理、オーダー、呼び出し、アンケートなどにおける統括、等に使用することができる携帯型の発光表示板を提供することができる、という効果を奏する。
【発明を実施するための最良の形態】
【００１７】
以下、図示の実施形態を参照して本発明をより詳細に説明する。図１は、本発明に係る携帯型の発光表示板１０に使用する表示板本体１１を示すもので、図示の表示板本体１１は、印刷基材１２の表面に印刷によってインクの凹凸１３から成る印刷パターン１４を形成し、上記印刷パターンを有する印刷基材１２を金型に配置し、透明なアクリル樹脂を使用して射出成型することにより表示板１１ａを形成し、上記表示板から印刷基材１２を印刷パターン１４とともに剥離し、インクの凹凸１３から成る印刷パターンの１４の転写された凸凹１５から成る光反射要素１６を有する。この表示板本体１１には、本出願人がＰＭバンと通称する訴求力の強いものを使用している。
【００１８】
表示板本体１１は、その透明なプラスチック内部を、照明光線を反射ロスの少ない状態で導く導光路とするために、表示板本体１１の一面に、凸凹１５から成る光反射要素１６を発光させる光線照射部１７を表示板本体１１の端面１８に配置した構成を有している。図１の光線照射部１７は、表示板本体１１の、凸凹１５を設けていない面を正面として端面１８において、光線を表示板本体内に照射する位置に配置されている。１９は観察者であり、表示板本体１１に掘り込まれた凸凹１５の透明プラスチック内表面における反射を目視する。
【００１９】
図３ないし図９は、本発明に係る携帯型の発光表示板１０を、胸のポケットなどに挟んで取り付けられるネームカードに適用した例１を示している。図示の表示板本体１１は、表示板１１ａの背面に印刷物１１ｂを配置したもので、印刷物１１ｂには、顔写真、氏名等の表示が印刷されている。上記の表示板本体１１は、内部が中空で、正面に額縁状の開口２１を設けた、薄いケース状のホルダー２０の内部に納められている。表示板本体１１の端面１８に位置する、同ホルダー２０内の上部には光線照射部１７が配置され、下部の端面１８′には反射部２２が配置されていて、後述のごとく構成されているＬＥＤから成る光源光を、効率的に凸凹１５から成る光反射要素１６に照射することができる（図９Ａ参照）。２１ａ、２１ｂは光線照射部カバーを示す。
【００２０】
例１の発光表示板１０は、適用手段としてクリップ２３を背面に有している。クリップ２３は図９Ａに詳細に示した構造を有しており、ホルダー背面に形成された受け部２４とクリップ２３に形成された突部２５にて開閉可能に係合し、ばね２６によって閉じ方向に付勢して結合され、胸のポケットなどの布片を挟むことができる。２７ａ、２７ｂは１対の滑り止めを示しており、本体１１とクリップ２３に夫々設けられている。例１の場合、クリップ２３の内部には発光表示板１０の作動を制御する制御部２８と電源電池２９の両方が組み込まれている。２９ａはスイッチ、２９ｂはブザーを示す。
【００２１】
光線照射部１７、反射部２２及び制御部２８と電源電池２９等の具体的設置形態は様々な形態を取り得る。図９Ｂはホルダー内の上部及び下部の２箇所に光線照射部１７、１７を配置した変形例１を示す。この場合には光線照射部を覆うカバー２１ｂを十分な長さに設ける。図１０Ａはホルダー内の上部のみに光線照射部１７を配置し、反射部２２を省略した変形例２を示す。図１０Ｂはホルダー内の上部及び下部の２箇所に光線照射部１７、１７を配置するとともに、制御部２８と電源電池２９等をホルダー内に配置した変形例３を示すものである。従って変形例３では、適用手段をばね片から成るフック状のクリップ２３′に変えている。
【００２２】
図１１及び図１２は本発明に係る携帯型の発光表示板１０の携帯例を示す。図１１Ａは胸のポケット３０の布片をクリップ２３により挟んで取り付けた例１、図１１Ｂ、Ｃは布片よりも厚手の板材３１をフック状のクリップ２３′により挟んで取り付けた例２で変形例３に対応する。図１２Ａは表示板本体１１を上辺にて溝型枠状のホルダー２０′に挿入し、かつ止めねじ３２をねじ孔３３に差し止めて用いて取り付けた例３であり、図１０Ａの変形例２に対応する。図１２Ｂはストラップ３４に吊り下げて使用する例４を示す。なお、吊り下げ部３５にはクリップ２３に設けてあるものを使用することができる。
【００２３】
上記各例において、表示板本体１１をホルダー２０、２０′に取り付ける構造として、交換を前提としない組み込み式のものと（図１３Ａ）、交換の可能なもの（図１３Ｂ）を選択することができる。組み込み式の場合には、図１３Ａに示すように前後のホルダー部分２０ａ、２０ｂの内部に表示板本体１１を嵌め込むことになる。交換式の場合には、図１３Ｂに示すようにホルダー２０の側面に、内部に通じるスリット３６を設けて、表示板本体１１の出し入れを行なうようにする。
【００２４】
次に、本発明に係る携帯型の発光表示板１０の光線照射部１７とその点灯形態をつかさどる制御部２８を含む構成について説明する。図１４Ａは、表示板本体１１の３色ＬＥＤから成る光線照射部１７を、マイクロコンピューター（ＣＰＵ）から成る制御部２８において、あらかじめ定められたプログラムにしたがって制御することによりフルカラーの演色を行なう制御例１を示す。これに対し図１４Ｂは、マイクロコンピューター（ＣＰＵ）から成る制御部２８の入力部にセンサーを接続して、３色ＬＥＤの発光に合わせた演色、音の発生、発光表示板の着用者の感知、外部の明るさに応じた表示面における輝度の調整を行なう等を行なうようにした制御例２を示す。
【００２５】
図１５は、上記制御部２８を構成する回路図の一例を示しており、３７は電源である電池の電圧を変換する電源部、３８はＬＥＤ定電流駆動部であり、前記電源部３７とともに定電流電源を構成し３色ＬＥＤの電源となる。３９は３色ＬＥＤを１組の光源とした複数組より成る発光部、４０は狭義の制御部であるマイクロコンピューター（ＣＰＵ）、４１は外部通信入出力端子、４２はセンサー入力、４３はドライバーを示す。上記マイクロコンピューター４０は、外部通信入出力端子４１からプログラムをインストールし、３色ＬＥＤを制御してフルカラーの演色を行い、電源電圧、電流を監視して過電流等を防止し、またタイマーを内蔵し、任意に設定する指定時間前に任意色を点滅させ、またブザーを鳴らすなどの動作を行なうことができる。
【００２６】
上記の制御例１によれば、発光表示板１０は赤色、緑色、青色の光を発し、表示板本体表面の表示を上記各色及びそれらの合成色で装飾し、その装飾が時々刻々変化するので、名札、ネームカード類として使用する者ないしは装着した物を極めて変化に富んだ色彩と明るさの光の装飾を与え、人目を惹くことになる。例えばこれを着用している者は、このような色彩変化が、名札、ネームカード類を飾ることにより、否応無しに存在を主張し続けることになり、いわゆるアイキャッチ力が著しく向上するので、かつて無い自己顕示能力を発揮する。
【００２７】
また、上記制御例２によれば、例えば加振器４４による呼び出し、マイク、スピーカー４５による入力及び音楽に同期させた演色と音の発生等が可能になり、また、人感知センサー（４２）の併用により人間、動物等が一定エリアに侵入したことを感知して発光、演色、音声等の手段を動作させ、周囲又は目的の箇所に侵入を知らせることができることとなり、さらには、光センサーにより外部の明るさに応じた輝度調整、それによる最適輝度の調整、省電力の実施等が可能になる。また、不許可の場合には周囲に色や音で通報するなど、発光や演色をＩＤ機能に利用することにより会場や建物などへの出入りやクラス分け、入退出管理などチェック機能に利用することが容易に行えるようになる。
【図面の簡単な説明】
【００２８】
【図１】本発明に係る携帯型の発光表示板に使用する表示板本体の構造を説明する説明図。
【図２】同上の表示板本体の使用状態を示す説明図。
【図３】本発明に係る携帯型の発光表示板の一例を示す正面側の斜視図。
【図４】同じく裏面側の斜視図。
【図５】同じく正面図。
【図６】同じく背面図。
【図７】同じく側面図。
【図８】クリップ部分の説明図。
【図９】例１の例１の発光表示板の内部構造を示すものでＡは断面図、Ｂは変形例１の断面図。
【図１０】図９と同様のものでＡは変形例２の断面図、Ｂは変形例３の断面図。
【図１１】本発明に係る発光表示板の携帯例を示すもので、Ａは例１の斜視図、Ｂは例２の正面側斜視図、Ｃは同じく背面側斜視図。
【図１２】図１１と同様のものでＡは例３の斜視図、Ｂは例４の斜視図である。
【図１３】表示板本体のホルダーへの取り付け例を示すもので、Ａは組み込み式のものの斜視図、Ｂは交換式のものの斜視図。
【図１４】表示板本体の３色ＬＥＤから成る光線照射部の制御部に関するもので、Ａは制御例１の説明図、Ｂは制御例２の説明図である。
【図１５】制御部を構成する回路図の一例を示すブロック図。
【符号の説明】
【００２９】
１０  発光表示板
１１  表示板本体
１２  印刷基材
１３  凹凸
１４  印刷パターン
１５  凸凹
１６  光反射要素
１７  光線照射部
１８  端面
１９  観察者
２０  ホルダー
２１  開口
２２  反射部
２３  クリップ
２４  受け部
２５  突部
２６  ばね
２７  滑り止め
２８  制御部
２９  電源電池
３０  ポケット
３１  板材
３２  止めねじ
３３  ねじ孔
３４  ストラップ
３５  吊り下げ部
３６  スリット
３７  電源部
３８  定電流駆動部
３９  発光部
４０  マイクロコンピューター
４１  外部通信入出力端子
４２  センサー入力
４３  ドライバー
４４  加振器
４５  マイク、スピーカー
【図１】
2008310165.tif 000003
【図２】
2008310165.tif 000004
【図３】
2008310165.tif 000005
【図４】
2008310165.tif 000006
【図５】
2008310165.tif 000007
【図６】
2008310165.tif 000008
【図７】
2008310165.tif 000009
【図８】
2008310165.tif 000010
【図９】
2008310165.tif 000011
【図１０】
2008310165.tif 000012
【図１１】
2008310165.tif 000013
【図１２】
2008310165.tif 000014
【図１３】
2008310165.tif 000015
【図１４】
2008310165.tif 000016
【図１５】
2008310165.tif 000017